(57)【要約】      （修正有）【課題】際刈りに適したブレードアセンブリ及び際刈りに適した芝生バリカンを提供する。【解決手段】芝生バリカンに用いるブレードアセンブリ２０は、芝生バリカンの下部に取り付けられる基部２１ａ，２２ａから前方に突き出るように設けられる左右方向に櫛状に並ぶ刃部２１ｂ，２２ｂを有した上側及び下側ブレード２１，２２と、下側ブレード２２の基部２２ａの下側に設けられて上下のブレード２１，２２を芝生バリカンの下部に取り付けるための金属板よりなる取付プレート２３とを備え、取付プレート２３は芝生バリカンの下部に取り付けられる取付部２４と、取付部２４から前方に突き出るように設けられ、上下一対のブレード２１，２２の左右方向に往復動する領域にて少なくとも左右方向の一方の外側に配置される際刈りガイド部２６とを備えた。【選択図】図３
2019062761.tif 000002
【特許請求の範囲】
【請求項１】
芝生バリカンに用いるブレードアセンブリであって、
前記芝生バリカンの下部に取り付けられる基部から前方に突き出るように設けられる左右方向に櫛状に並ぶ刃部を有した上側及び下側ブレードを左右方向に互いに逆向きに往復動させることで芝草を切断する上下一対のブレードと、
前記下側ブレードの基部の下側に設けられて前記上下一対のブレードの基部を芝生バリカンの下部に取り付けるための取付プレートとを備え、
前記取付プレートは前記芝生バリカンの下部に取り付けられる取付部と、前記取付部から前方に突き出るように設けられ、前記上下一対のブレードの左右方向に往復動する領域にて少なくとも左右方向の一方の外側に配置される際刈りガイド部とを備えたことを特徴とするブレードアセンブリ。
【請求項２】
請求項１に記載のブレードアセンブリにおいて、
前記際刈りガイド部を前記上下一対のブレードの左右方向に往復動する領域の左右両方の外側に配置したことを特徴とするブレードアセンブリ。
【請求項３】
請求項１または２に記載のブレードアセンブリにおいて、
前記際刈りガイド部を前記取付部よりも下側に屈曲させて、前記際刈りガイド部を前記下側ブレードよりも下方に離間させたことを特徴とするブレードアセンブリ。
【請求項４】
請求項１〜３の何れか１項記載のブレードアセンブリにおいて、
前記キワ刈りガイド部を金属製としたことを特徴とするブレードアセンブリ。
【請求項５】
請求項１〜４の何れか１項記載のブレードアセンブリにおいて、
前記際刈りガイド部を前記上下一対のブレードと異なる色としたことを特徴とするブレードアセンブリ。
【請求項６】
請求項１〜５の何れか１項に記載のブレードアセンブリにおいて、
前記際刈りガイド部の外周部を前後に直線状に延びるようにしたことを特徴とするブレードアセンブリ。
【請求項７】
請求項１〜５の何れか１項に記載のブレードアセンブリにおいて、
前記際刈りガイド部の外周部を外側に曲線状に膨らむようにしたことを特徴とするブレードアセンブリ。
【請求項８】
請求項１〜７の何れか１項に記載のブレードアセンブリにおいて、
前記際刈りガイド部の前側先端部を尖った形状としたことを特徴とするブレードアセンブリ。
【請求項９】
請求項１〜７の何れか１項に記載のブレードアセンブリにおいて、
前記際刈りガイド部の前側先端部を曲線形状としたことを特徴とするブレードアセンブリ。
【請求項１０】
請求項１〜９の何れか１項に記載のブレードアセンブリにおいて、
前記際刈りガイド部の内周部には前記上下一対のブレードの左右方向の外側の刃部と交差する位置に刃形状部を形成したことを特徴とするブレードアセンブリ。
【請求項１１】
請求項１〜１０の何れか１項に記載のブレードアセンブリを備えた芝生バリカン。
【発明の詳細な説明】
【技術分野】
【０００１】
本発明は、上側及び下側ブレードを左右方向に互いに逆向きに往復動させることで芝草を切断する上下一対のブレードを備えたブレードアセンブリ及び該ブレードアセンブリを備えた芝生バリカンに関する。
【背景技術】
【０００２】
特許文献１〜３には芝生を刈る芝生バリカンが開示されている。これらの芝生バリカンはハウジング内に電動モータと、ハウジングの下部にて前方に突出するように設けた上下一対のブレードとを備えている。この芝生バリカンにおいては、上下一対のブレードは電動モータの駆動を受けて左右方向に互いに逆向きに往復動し、上下一対のブレードを往復どうさせた状態で芝生バリカンを芝の生える地面に沿って前方に移動させると、地面に生える芝が往復動する上下一対のブレードによって刈り取られる。
【０００３】
この種の芝生バリカンにおいて、上下一対のブレードを芝の生える地面にて構造物の境界部分に沿って前方に移動させるときに、左右方向に往復動する上下一対のブレードが構造物に接触することがあった。これを防ぐために、特許文献１の芝生バリカンでは、ハウジングの前部には上下一対のブレードの上側にガード板を設け、上下一対のブレードがガード板によって構造物に接触しないようにしている。
【０００４】
特許文献２の芝生バリカンでは、ハウジングの前部には上下一対のブレードの下側にキワ刈りガイドが設けられ、上下一対のブレードがキワ刈りガイドによって構造物に接触しないようになっている。このキワ刈りガイドは、ハウジングの前部に着脱可能に取り付けられる基部と、基部から上下一対のブレードの下側にて前方に突き出る櫛状部とを備え、基部と櫛状部とを樹脂材によって一体的に成形したものである。特許文献３の芝生バリカンでも、ハウジングの前部には上下一対のブレードの下側にキワ刈りガイドが設けられ、上下一対のブレードがキワ刈りガイドによって構造物に接触しないようになっている。このキワ刈りガイドは、基部から上下一対のブレードの下側にて前方に突き出る櫛状部と、櫛状部からハウジングの側部に沿って連設される集草部とを備え、基部と櫛状部と集草部とを樹脂材によって一体的に成形したものである。
【先行技術文献】
【特許文献】
【０００５】
【特許文献１】特開２０１５−０３５９７１号公報
【特許文献２】特開２０１６−０２９９１０号公報
【特許文献１】特開２０１６−１８９７０６号公報
【発明の概要】
【発明が解決しようとする課題】
【０００６】
特許文献１の芝生バリカンでは、ハウジングの前部に設けたガード板によって上下一対のブレードが構造物に接触しないようにしているが、上下一対のブレードがガード板に対して上下に離間しているため、ブロックや煉瓦のようなガード板より高さの低い構造物の境界部分で際刈りをするときには、上下一対のブレードが構造物に接触するおそれがあった。また、特許文献２及び３の芝生バリカンでは、キワ刈りガイドは上下一対のブレードの直ぐ下側に配置されているため、ブロックや煉瓦のような高さの低い構造物の境界部分の際刈りをするときでも、上下一対のブレードを構造物に接触させないようにすることができる。しかし、特許文献２及び３の芝生バリカンでは、キワ刈りガイドは樹脂製のために軟らかく、キワ刈りガイドの底面が地面の目土や小石に引っかって抵抗となりやすかった。また、樹脂製のキワ刈りガイドは底面が目土や小石で削れて凹凸が生じやすく、芝の上を滑りにくくなる問題もあった。さらに、作業者によっては、通常の芝刈り作業をするときに、キワ刈りガイドが嵩張るために、キワ刈りガイドを取り外して芝生バリカンを使用することがある。通常の芝刈り作業をしながら際刈り作業をすると、キワ刈りガイドをハウジングに装着するのが面倒であり、際刈りガイドを装着せずに芝生バリカンで際刈りをして、上下一対のブレードが構造物に接触することがあった。本発明は、際刈りに適したブレードアセンブリ及び際刈りに適した芝生バリカンを提供することを目的とする。
【課題を解決するための手段】
【０００７】
上記課題を解決するために、本発明は、芝生バリカンに用いるブレードアセンブリであって、芝生バリカンの下部に取り付けられる基部から前方に突き出るように設けられる左右方向に櫛状に並ぶ刃部を有した上側及び下側ブレードを左右方向に互いに逆向きに往復動させることで被切断物を切断する上下一対のブレードと、下側ブレードの基部の下側に設けられて上下一対のブレードの基部を芝生バリカンの下部に取り付けるための取付プレートとを備え、取付プレートは芝生バリカンの下部に取り付けられる取付部と、取付部から前方に突き出るように設けられ、上下一対のブレードの左右方向に往復動する領域にて少なくとも左右方向の一方の外側に配置される際刈りガイド部とを備えたことを特徴とするブレードアセンブリを提供するものである。
【０００８】
上記のように構成したブレードアセンブリにおいては、取付プレートは芝生バリカンの下部に取り付けられる取付部と、取付部から前方に突き出るように設けられ、上下一対のブレードの左右方向に往復動する領域にて少なくとも左右方向の一方の外側に配置される際刈りガイド部とを備えた。これにより、際刈りに適してない芝生バリカンであっても、ブレードアセンブリを芝生バリカンに取り付けるだけで、追加部品を用いることなく際刈りに適した芝生バリカンとすることができた。また、上下一対のブレードの摩耗のためにブレードアセンブリを交換すれば、キワ刈りガイド部も取付プレートともに交換され、キワ刈りガイド部を上下一対のブレードの摩耗のタイミングで交換することができるようになった。また、際刈りガイド部は上下のブレードの直ぐ下側に設けられているので、ブロックや煉瓦等の高さの低い構造物の境界部分を際刈りするときでも、上下のブレードを構造物に接触させないようにすることができた。
【０００９】
上記のように構成したブレードアセンブリにおいては、際刈りガイド部を上下一対のブレードの左右方向に往復動する領域の左右両方の外側に配置するのが好ましい。このようにしたときには、芝生バリカンの左右の両方で上下のブレードが構造物に接触するのを防ぐことができた。
【００１０】
上記のように構成したブレードアセンブリにおいては、際刈りガイド部を取付部よりも下側に屈曲させて、際刈りガイド部を下側ブレードよりも下方に離間させるのが好ましい。このようにしたときには、左右方向に往復動する下側ブレードの刃部が際刈りガイド部に接触するのを防ぐことができ、下側ブレードの刃部及び際刈りガイド部が摩耗しにくくなった。また、上記のように構成したブレードアセンブリにおいては、キワ刈りガイド部を金属製とするのが好ましい。このようにしたときには、キワ刈りガイド部が凹んだり削れにくくなるとともに、キワ刈りガイド部を芝の生える地面に沿って滑らせたときの滑りをよくすることができた。
【００１１】
上記のように構成したブレードアセンブリにおいては、際刈りガイド部を上下一対のブレードと異なる色とするのが好ましい。このようにしたときには、際刈りガイド部を上下一対のブレードと視覚によって区別できるようになる。
【００１２】
上記のように構成したブレードアセンブリにおいては、際刈りガイド部の外周部を前後に直線状に延びるようにしてもよい。また、際刈りガイド部の外周部を外側に曲線状に膨らむようにしてもよい。
【００１３】
上記のように構成したブレードアセンブリにおいては、際刈りガイド部の前側先端部を尖った形状としてもよく、このようにしたときには、芝の根切りをするときに突き刺しやすくすることができる。また、際刈りガイド部の前側先端部を曲線形状としてもよく、このようにしたときには、際刈りガイド部の前側先端部が木の枝や茎等に突き刺さらないようにすることができる。
【００１４】
上記のように構成したブレードアセンブリにおいては、際刈りガイド部の内周部には上下一対のブレードの左右方向の外側の刃部と交差する位置に刃形状部を形成するのが好ましい。このようにしたときには、上下一対のブレードの刃部の外側に逃げた芝も際刈りガイドの内周部の刃形状部と協働して刈ることができるようになった。
【図面の簡単な説明】
【００１５】
【図１】本発明のブレードアセンブリを用いた芝生バリカンの斜視図である。
【図２】図１の縦方向断面図である。
【図３】ブレードアセンブリの斜視図である。
【図４】図３の分解図である。
【図５】上下のブレードを移動させる前の平明図（ａ）であり、上下のブレードを左右に移動させたときの平面図（ｂ）である。
【図６】際刈りガイド部の内周部に刃形状部を形成した実施例の平面図である。
【発明を実施するための最良の形態】
【００１６】
以下、本発明のブレードアセンブリ及び該ブレードアセンブリを用いた芝生バリカンの一実施形態を図面を参照して説明する。図１及び図２に示したように、芝生バリカン１０は、ハウジング１１の内部に原動機である電動モータ１２と、ハウジング１１の下部にブレードアセンブリ２０を着脱可能に備えている。ハウジング１１の下部には電動モータ１２により回転する偏心カム１３が設けられており、偏心カム１３は上側に配置される第１カム１３ａと下側に配置される第２カム１３ｂとを備えている。偏心カム１３は電動モータにより回転して後述するブレードアセンブリ２０の上側ブレード２１と下側ブレード２２とを互いに逆向きに往復動させる。ハウジング１１の後部には作業者が把持するグリップハンドル１４が設けられており、グリップハンドル１４には電動モータ１２を作動させるスイッチ１５が設けられている。
【００１７】
図３及び図４に示したように、ブレードアセンブリ２０は、上下一対のブレード２１，２２と、上下一対のブレード２１，２２をハウジング１１の下部に取り付ける取付プレート２３とを備えている。
【００１８】
上側ブレード２１はハウジング１１の下部に取り付けられる基部２１ａと、基部２１ａから前方に突き出るように設けられる刃部２１ｂとを備えている。基部２１ａには長孔形状の嵌合孔２１ｃが形成されており、この嵌合孔２１ｃにはハウジング１１の下部に設けられた偏心カム１３の第１カム１３ａに遊嵌されている。刃部２１ｂは基部２１ａから前方に突き出るように設けられ、前側が開くように左右方向に櫛状に並んでいる。
【００１９】
下側ブレード２２は上側ブレード２１の下側に設けられ、上側ブレード２１と同様にハウジング１１の下部に取り付けられる基部２２ａと、基部２２ａから前方に突き出るように設けられる刃部２２ｂとを備えている。基部２２ａには長孔形状の嵌合孔２２ｃが形成されており、この嵌合孔２２ｃにはハウジング１１の下部に設けられた偏心カム１３の第２カム１３ｂに遊嵌されている。刃部２２ｂは基部２２ａから前方に突き出るように設けられ、前側が開くように左右方向に櫛状に並んでいる。上下のブレード２１，２２は電動モータ１２の駆動が偏心カム１３により伝達されて左右方向に互いに逆向きに往復動する。
【００２０】
取付プレート２３は上下のブレード２１，２２をハウジング１１の下部に取り付けるものであり、ハウジング１１の下部に取り付けられる取付部２４と、取付部２４の前部から左右方向に延びるアーム部２５と、取付部２４からアーム部２５を介して前方に突き出る際刈りガイド部２６とを備え、鋼板をプレス加工によって成形したものである。取付プレート２３は濃い灰色としており、ニッケルメッキにより銀色をした鋼板の上下のブレード２１，２２と異なる色となっている。取付部２４にはピン２７によって上下のブレード２１，２２が回動自在に固定されている。取付部２４はハウジング１１の下部開口１１ａを塞ぐ大きさとなっており、ねじによって上下のブレード２１，２２とともにハウジング１１の下部に着脱可能に取り付けられる。
【００２１】
図６に示したように、アーム部２５は取付部２４の前部にて上下のブレード２１，２２の左右方向に往復動する領域まで延びている。アーム部２５の左右の端部には前方に突き出る際刈りガイド部２６が設けられている。際刈りガイド部２６は左右方向に往復動する上下のブレード２１，２２が外側の構造物等に接触するのを防ぐ機能を有している。際刈りガイド部２６は上下のブレード２１，２２の各刃部２１ｂ，２２ｂが往復動して芝を刈る領域を邪魔しない位置に配置されている。際刈りガイド部２６はアーム部２５の端部から下側に屈曲してから前方に延びており、下側ブレード２２の刃部２２ｂと上下方向に離間している。これによって、上下のブレード２１，２２を往復動させたときには、下側ブレード２２の刃部２２ｂが際刈りガイド部２６に接触することがない。
【００２２】
際刈りガイド部２６の外周部は前後方向に直線状に延びており、際刈りガイド部２６の直線状に延びる外周部を壁等の構造物に当接させた状態で移動させることで、芝生バリカン１０を壁等の構造物に沿って移動させることができる。際刈りガイド部２６の前側先端部は尖った形状をしており、芝生の根切りをするときに芝生の生える地面に突き刺しやすくなっている。
【００２３】
上記のように構成した芝生バリカン１０を用いた芝刈り作業について説明する。作業者はグリップハンドル１４を把持した手指でスイッチ１５をオン操作すると、上下のブレード２１，２２が電動モータ１２の駆動を受けて左右方向に互いに逆向きに往復動する。上下のブレード２１，２２を往復動させた状態で、芝生バリカン１０を芝の生える地面に沿って前側に移動させると、地面に生える芝は上下のブレード２１，２２によって刈り取られる。また、建物、ブロックまたは煉瓦等の構造物の境界部分に生える芝を刈り取るときには、際刈りガイド部２６を構造物に当接させた状態で前側に移動させると、上下のブレード２１，２２が構造物に接触することなく構造物の境界部分に生える芝を刈り取ることができる。
【００２４】
上記のように構成した芝生バリカン１０に用いるブレードアセンブリ２０は、芝生バリカン１０の下部に取り付けられる基部２１ａ，２１ｂから前方に突き出るように設けられる左右方向に櫛状に並ぶ刃部２１ｂ，２２ｂを有した上側及び下側ブレード２１，２２と、下側ブレード２２の基部２２ａの下側に設けられて上下一対のブレード２１，２２の基部２１ａ，２１ｂを芝生バリカン１０のハウジング１１の下部に取り付けるための取付プレート２３とを備えている。
【００２５】
この芝生バリカン１０に用いるブレードアセンブリ２０においては、取付プレート２３は芝生バリカン１０の下部に取り付けられる取付部２４と、取付部２４からアーム部２５を介して前方に突き出るように設けられ、上下一対のブレード２１，２２の左右方向に往復動する領域の外側に配置される際刈りガイド部２６とを備えている。このようにしたことで、際刈りに適してない芝生バリカンであっても、このブレードアセンブリ２０を芝生バリカン１０に取り付けるだけで、追加部品を用いることなく際刈りに適した芝生バリカン１０とすることができた。また、上下一対のブレード２１，２２の摩耗のためにブレードアセンブリ２０を交換すれば、際刈りガイド部２６も取付プレート２３とともに交換され、際刈りガイド部２６を上下一対のブレード２１，２２の摩耗のタイミングで交換することができるようになり、際刈りガイド部２６を上下のブレード２１，２２とともに良好な状態とすることができた。この際刈りガイド部２６は上下のブレード２１，２２の直ぐ下側に設けられているので、ブロックや煉瓦のような高さの低い構造物の境界部分に生える芝を刈り取るときにも、上下のブレード２１，２２が構造物に接触するのを防ぐことができた。
【００２６】
また、この際刈りガイド部２６を上下一対のブレード２１，２２の左右方向に往復動する領域の左右両方の外側に配置したので、芝生バリカン１０の左右両側で上下のブレード２１，２２が構造物に接触するのを防ぐことができた。なお、本発明はこれに限られるものでなく、際刈りガイド部２６を上下一対のブレード２１，２２の左右方向に往復動する領域にて左右方向の一方の外側に配置したものであってもよい。
【００２７】
また、際刈りガイド部２６を取付部２４からアーム部２５を介して下側に屈曲させて、際刈りガイド部２６を下側ブレード２２よりも下方に離間させた。これにより、左右方向に往復動する下側ブレード２２の刃部２２ｂが際刈りガイド部２６に接触するのを防ぐことができ、下側ブレード２２の刃部２２ｂ及び際刈りガイド部２６が摩耗しにくくなった。また、際刈りガイド部２６は取付プレート２３とともに金属製であるので、際刈りガイド部２６が凹んだり削れにくくなるとともに、際刈りガイド部２６を芝の生える地面に沿って滑らせたときの滑りをよくすることができた。
【００２８】
際刈りガイド部２６を含めて取付プレート２３は上下一対のブレード２１，２２と異なる色としたので、際刈りガイド部２６を上下のブレード２１，２２と視覚によって区別できるようになる。これによって、際刈りガイド部２６と間違えて上下のブレード２１，２２を触らないようにすることができた。
【００２９】
際刈りガイド部２６の外周部は前後に直線状に延びているので、際刈りガイド部２６の直線状に延びる外周部を壁等の構造物に当接させた状態で移動させることで、芝生バリカン１０を壁等の構造物に沿って移動させることができる。なお、本発明はこれに限られるものでなく、際刈りガイド部２６の外周部を外側に曲線状に膨らむようにしてもよい。このようにしたときには、際刈りガイド部２６の最も外側に膨らんだ部分を構造物に当接させた状態で、芝生バリカン１０を垂直軸線回りに細かく回動させやすくすることができる。
【００３０】
際刈りガイド部２６の前側先端部は尖った形状をしているので、芝生の根切りをするときに芝生の生える地面に突き刺しやすくなっている。なお、本発明はこれに限られるものでなく、際刈りガイド部２６の前側先端部を曲線形状としてもよい。このようにしたときには、芝刈りをする際に際刈りガイド部２６の前側先端部が木の枝や茎等に突き刺さらないようにすることができる。
【００３１】
このブレードアセンブリ２０においては、図６に示したように、際刈りガイド部２６の内周部には上下一対のブレード２１，２２の左右方向の外側の刃部２２ｂと交差する位置に刃形状部２６ａを形成してもよい。このようにしたときには、上下一対のブレード２１，２２の刃部の外側に逃げた芝も際刈りガイド２６と協働して刈ることができるようになった。
【符号の説明】
【００３２】
１０…芝生バリカン、２０…ブレードアセンブリ、２１…上側ブレード、２１ａ…基部、２１ｂ…刃部、２２…下側ブレード、２２ａ…基部、２２ｂ…刃部、２３…取付プレート、２４…取付部、２６…際刈りガイド部、２６ａ…刃形状部。
【図１】
2019062761.tif 000003
【図２】
2019062761.tif 000004
【図３】
2019062761.tif 000005
【図４】
2019062761.tif 000006
【図５】
2019062761.tif 000007
【図６】
2019062761.tif 000008